(57)【要約】【課題】被取付物に安定的に取り付けることのできる、木質パネル及び木質パネル複合体、並びに、木質パネル及び／又は木質パネル複合体が被取付物に安定的に取り付けられている、木質パネル取付構造を提供する。【解決手段】本発明に係る木質パネルは、木質板であって、木質板の小口面に設けられ、当該小口面に対して垂直方向に延在する長孔と、木質板の表面に設けられ、当該表面と長孔とを連通する座繰り孔と、を有する、木質板と、基端部に係合孔を有するとともに、先端部に係止部を有し、木質板の座繰り孔に基端部が差し込まれている、取付金具と、木質板の長孔に差し込まれており、取付金具の係合孔に差し通されて取付金具を係止している、係止杆と、を備える。【選択図】図１
2020163770.tif 000002
【特許請求の範囲】
【請求項１】
木質板であって、前記木質板の小口面に設けられ、当該小口面に対して垂直方向に延在する長孔と、前記木質板の表面に設けられ、当該表面と前記長孔とを連通する座繰り孔と、を有する、木質板と、
基端部に係合孔を有するとともに、先端部に係止部を有し、前記木質板の前記座繰り孔に前記基端部が差し込まれている、取付金具と、
前記木質板の前記長孔に差し込まれており、前記取付金具の前記係合孔に差し通されて前記取付金具を係止している、係止杆と、
を備える、木質パネル。
【請求項２】
前記木質板を形成する木質材料が、前記長孔の延在方向において、前記長孔の周囲に連続して存在する、請求項１に記載の木質パネル。
【請求項３】
前記木質板は、複数の長尺の木材を互いに集成接着させた集成材であって、
前記長孔は、複数の前記木材を貫いて延在している、請求項１又は２に記載の木質パネル。
【請求項４】
前記木質板の４つの前記小口面の少なくとも１つに凹溝を有する、請求項１から３のいずれか一項に記載の木質パネル。
【請求項５】
前記木質板の４つの前記小口面の各々に凹溝を有する、請求項４に記載の木質パネル。
【請求項６】
複数の、請求項４又は５に記載の前記木質パネルが、前記凹溝内に配置された雇い実を介して互いに接続されてなる、木質パネル複合体。
【請求項７】
請求項１から５のいずれか一項に記載の木質パネル及び／又は請求項６に記載の木質パネル複合体が、前記取付金具を介して梁又は基礎の少なくとも１つに取り付けられている、木質パネル取付構造。
【請求項８】
前記木質パネル及び／又は前記木質パネル複合体は、前記梁又は前記基礎の少なくとも１つの上に設置部材を介して設置されている、請求項７に記載の木質パネル取付構造。
【発明の詳細な説明】
【技術分野】
【０００１】
本発明は、木質パネル、木質パネル複合体、及び木質パネル取付構造に関する。
【背景技術】
【０００２】
従来から、例えば、建物の躯体に対して壁パネルを揺動可能に取り付けることで、地震等による振動を減衰させるロッキング構法が知られている。例えば、特許文献１には、木造軸組に帳壁としての軽量気泡コンクリート（ＡＬＣ）製壁パネルを揺動可能に取り付けることで、地震等による振動を減衰させるロッキング構法を実現した木造軸組建物が開示されている。
【先行技術文献】
【特許文献】
【０００３】
【特許文献１】特許第６０９６６５９号公報
【発明の概要】
【発明が解決しようとする課題】
【０００４】
一方、近年、ＣＯ２削減等の環境配慮の観点から、住宅だけでなく多用途の中高層建物にも木材利用の促進が求められている。
【０００５】
しかしながら、特許文献１の技術では、木造軸組を利用することで木材利用の促進に寄与し得るが、中高層への展開を考えると、鉄骨構造、鉄筋コンクリート構造及びこれらの混構造等の建物への木材利用をも促進することが更に望まれている。したがって、鉄骨構造物、鉄筋コンクリート構造物及びこれらの混構造物等を含めた被取付物に、木質パネルを安定的に取り付ける技術の確立が望まれる。
【０００６】
現状こうした木質パネルの被取付物への取り付け技術では、従来の木造から派生した金物を介した取り付けが主流であり、釘、ビス、コーチボルト等を用いて木質パネルを貫通させずに、金物を木材に接合した上で、金物を被取付物に取り付けることが多い。しかしながら、帳壁のような可動しやすい部材としての用途において、木質パネルは、ロッキング動作をするように上下各１点でそれぞれ被取付物に固定されるため、上述したように、釘、ビス、コーチボルト等によって金物を木質パネルに接合した場合、振動の繰り返しによる接合の劣化の影響が懸念される。そのためにも、振動の繰り返しに対して劣化しにくい、構造物に取り付けた際に外表面側にノイズが出ない、木造パネルの被取付物への取り付け技術の確立が望まれる。
【０００７】
かかる事情に鑑みてなされた本発明の目的は、被取付物に安定的に取り付けることのできる、木質パネル及び木質パネル複合体、並びに、木質パネル及び／又は木質パネル複合体が被取付物に安定的に取り付けられている、木質パネル取付構造を提供することにある。
【課題を解決するための手段】
【０００８】
本発明に係る木質パネルは、木質板であって、前記木質板の小口面に設けられ、当該小口面に対して垂直方向に延在する長孔と、前記木質板の表面に設けられ、当該表面と前記長孔とを連通する座繰り孔と、を有する、木質板と、基端部に係合孔を有するとともに、先端部に係止部を有し、前記木質板の前記座繰り孔に前記基端部が差し込まれている、取付金具と、前記木質板の前記長孔に差し込まれており、前記取付金具の前記係合孔に差し通されて前記取付金具を係止している、係止杆と、を備える。
【０００９】
本発明に係る木質パネルでは、前記木質板を形成する木質材料が、前記長孔の延在方向において、前記長孔の周囲に連続して存在することが好ましい。
【００１０】
本発明に係る木質パネルでは、前記木質板は、複数の長尺の木材を互いに集成接着させた集成材であって、前記長孔は、複数の前記木材を貫いて延在していることが好ましい。
【００１１】
本発明に係る木質パネルでは、前記木質板の４つの前記小口面の少なくとも１つに凹溝を有することが好ましい。
【００１２】
本発明に係る木質パネルでは、前記木質板の４つの前記小口面の各々に凹溝を有することが好ましい。
【００１３】
本発明に係る木質パネル複合体は、複数の前記木質パネルが、前記凹溝内に配置された雇い実を介して互いに接続されてなる、木質パネル複合体である。
【００１４】
本発明に係る木質パネル取付構造は、上述した、木質パネル及び／又は木質パネル複合体が、前記取付金具を介して梁又は基礎の少なくとも１つに取り付けられている、木質パネル取付構造である。
【００１５】
本発明に係る木質パネル取付構造では、前記木質パネル及び／又は前記木質パネル複合体は、前記梁又は前記基礎の少なくとも１つの上に設置部材を介して設置されていることが好ましい。
【発明の効果】
【００１６】
本発明によれば、被取付物に安定的に取り付けることのできる、木質パネル及び木質パネル複合体、並びに、木質パネル及び／又は木質パネル複合体が被取付物に安定的に取り付けられている、木質パネル取付構造を提供することにある。
【図面の簡単な説明】
【００１７】
【図１】本発明の一実施形態に係る木質パネルを示す、斜視図である。
【図２】図１の木質パネルの要部の破断斜視図である。
【図３】本発明の一実施形態に係る木質パネル及び本発明の一実施形態に係る木質パネル複合体を用いた、本発明の一実施形態に係る木質パネル取付構造を示す、正面側一部分解斜視図である。
【図４】図３の木質パネル取付構造の背面側斜視図である。
【図５】本発明の一実施形態に係る木質パネル及び本発明の他の実施形態に係る木質パネル複合体を用いた、本発明の他の実施形態に係る木質パネル取付構造を示す、背面側一部分解斜視図である。
【図６】本発明の一実施形態に係る木質パネル及び本発明の更に他の実施形態に係る木質パネル複合体を用いた、本発明の更に他の実施形態に係る木質パネル取付構造を示す、背面側一部分解斜視図である。
【図７】図３に示す木質パネル取付構造の変形例を示す、正面図である。
【図８】図７に示す木質パネル取付構造における木質パネルのロッキング動作を示す、正面図である。
【発明を実施するための形態】
【００１８】
以下、本発明の一実施形態に係る木質パネル、木質パネル複合体、及び木質パネル取付構造について、図面を参照して説明する。各図面の記載において、同一又は類似の部品又は部分には、同一又は類似の符号を付している。
【００１９】
はじめに、図１及び図２を参照して、本発明の一実施形態に係る木質パネル１の構成について説明する。図１は、本発明の一実施形態に係る木質パネル１を示す、斜視図である。図２は、図１の木質パネル１の要部の破断斜視図である。図１に示すように、木質パネル１は、木質板２と、取付金具３と、係止杆４と、を備える。図２では、木質板２の内部の構成を明確にするために、木質板２の一部を切り欠いて一点鎖線で示している。
【００２０】
本明細書において、木質板２の外表面のうち最も表面積が大きい面を表面と称し、それ以外の面を小口面と称する。また、木質板２の表面の長手方向を長さ方向と、短手方向を幅方向と、表面に垂直方向を厚さ方向と、それぞれ称する。なお、本明細書において、「垂直」又は「平行」という記載は、それぞれ実質的に垂直又は平行である状態をも含むものとする。
【００２１】
木質板２は、木質の厚板である。例えば、木質板２は、複数の長尺の木材２１を互いに略平行に集成接着させた集成材とすることができる。本実施形態では、複数の木材２１の少なくとも１部は、木の繊維方向が木質板２の長さ方向と略平行となるように配置されている。これによって、地震等の振動によって、木質パネル１にせん断応力が加えられた場合に、木質板２が変形又は破損しにくくなる。また、木質板２を厚板集成材とすることによって、木質板２に応力が加えられた場合に、木材２１のめり込み等により変形が吸収され、粘りがでることで、変形時破損しにくくなる。木質板２は、複数の木材２１が木質板２の幅方向に積層されて形成された、ＷＯＯＤ.ＡＬＣ（登録商標）等の集成材であるが、これに限られず、ＣＬＴ（Cross Laminated Timber）、またはＬＶＬ（Laminated Veneer Lumber：単板積層材）等の任意の集成材であってもよい。木質板２は、集成材に限られず、無垢木板等を含む、任意の木質材料であってもよい。
【００２２】
木質板２の形状は、略矩形であるが、これに限られない。木質板２の厚さは、略７５ｍｍ以上とすることができる。さらに、木質板２の厚さを略１２ｃｍ以上とすることによって、木質パネル１は、制振性能を有するとともに、耐火性能を有し得る。また、木質板２は、ＡＬＣ製壁パネル等の鉄筋コンクリート製のパネルに比べて、パネル加工においてパネルに含まれる鉄筋の位置等に配慮する必要がなく、後述する長孔２２及び座繰り孔２３を設ける加工をより広い範囲で実施し得る。
【００２３】
図２に示すように、木質板２は、長孔２２と、座繰り孔２３と、を有している。
【００２４】
長孔２２は、木質板２の小口面に設けられ、木質板２の幅方向、即ち、小口面に対して垂直方向に延在している。長孔２２が設けられる小口面は、木質板２の長さ方向に延存する小口面とすることができる。長孔２２の開口は、木質板２の厚さ方向において小口面の略中央に位置しているが、この限りではない。本実施形態では、長孔２２は、１つの小口面から対向する小口面に木質板２を貫通していないが、貫通していてもよい。
【００２５】
座繰り孔２３は、木質板２の表面に設けられ、当該表面と長孔２２とを連通している。本実施形態では、座繰り孔２３は、木質板２の厚さ方向、即ち、表面に対して垂直方向に延在している。本実施形態では、座繰り孔２３は、木質板２の幅方向において表面の略中央に位置しているが、この限りではない。本実施形態では、座繰り孔２３は、１つの表面から対向する表面に木質板２を貫通していない。このため、座繰り孔２３が設けられた表面とは反対の表面側から見た木質板２の意匠性が、座繰り孔２３によって損なわれない。ただし、座繰り孔２３は、１つの表面から対向する表面に木質板２を貫通していてもよい。
【００２６】
木質板２を形成する木質材料が、長孔２２の延在方向において、長孔２２の周囲に連続して存在している。即ち、木材でフレームを組んで面材を貼り合わせたパネルに対して、木質板２の内部において、座繰り孔２３以外に長孔２２と連通する空間は設けられていない。これによって、地震等による振動によって、長孔２２に差し込まれた、後述する係止杆４から木質板２に荷重が掛かる場合に、係止杆４から木質板２に掛かる荷重が分散され、木質板２が破損するおそれを低減させ得る。
【００２７】
また、木質板２が複数の長尺の木材２１を互いに集成接着させた集成材である場合、長孔２２は、複数の木材２１を貫いて延在している。本実施形態では、図２に示すように、木質板２は、長孔２２の延在方向である、木質板２の幅方向に木材２１が積層された集成材とされている。即ち、木質板２において、長孔２２の延在方向と垂直方向において長孔２２は複数の木材２１に跨っていない。これによって、長孔２２に差し込まれた係止杆４から木質板２に荷重が掛かる場合に、係止杆４からの荷重が、木質板２を構成する木材２１に対して略均等に分散して加わるため、振動の繰り返しによる木質板２の劣化を低減させ得る。また、係止杆４からの荷重が、木質板２を構成する木材２１の接着面に対して略平行に加わるため、木材２１の接着面で剥離又は滑動が生じるおそれを低減させ得る。
【００２８】
木質板２は、４つの小口面の少なくとも１つに凹溝２４を有していてもよい。本実施形態では、木質板２は、図１及び図２に示すように、４つの小口面の各々に凹溝２４を有している。凹溝２４は、小口面の長手方向に延長している。これによって、凹溝２４内に雇い実を配置することで、雇い実を介して複数の木質パネル１を幅方向又は長さ方向に接続することができる。木質板２において、凹溝２４は４つの小口面の全てに設けられていなくてもよい。例えば、凹溝２４は、木質板２の幅方向に対向する２つの小口面、或いは木質板２の長さ方向に対向する２つの小口面に設けられていてもよい。更には、凹溝２４は、木質板２の上記以外の２つ小口面、又は、いずれか１つ若しくは３つの小口面に設けられていてもよい。以下、雇い実を介して接続された複数の木質パネル１を木質パネル複合体１０ともいう。
【００２９】
図２に示すように、長孔２２と凹溝２４とが同じ小口面に設けられている場合、長孔２２の開口の直径は凹溝２４の短手方向の幅よりも小さくすることができる。かかる場合、雇い実を凹溝２４に挿入することで、雇い実によって長孔２２の開口が塞がれ得る。これによって、木質パネル１を雇い実を介して接続することによる止水効果が損なわれない。
【００３０】
図１に示すように、本実施形態では、木質板２には、木質板２の長さ方向において上端の近傍に設けられた長孔２２Ａと下端の近傍に設けられた長孔２２Ｂとの、２つの長孔２２が設けられている。木質板２の長さ方向において、木質板２の上端から長孔２２Ａの中心（軸線）までの距離をＤ１、木質板２の下端から長孔２２Ｂの中心（軸線）までの距離をＤ２とすると、距離Ｄ１及びＤ２は、任意に定める事ができる。例えば、距離Ｄ１は、木質パネル１が取り付けられる梁の長さ方向の長さ以上とされてもよい。これによって、木質パネル１の座繰り孔２３が設けられた表面が梁に取り付けられた際に、木質パネル１の座繰り孔２３が設けられた表面とは反対の表面側から梁を視認できないように配置することができる。また例えば、距離Ｄ１及びＤ２の長さが略等しくてもよい。これによって、木質パネル１は、長さ方向の上下によらず梁等に取り付けることができ、木質パネル１の取り付けミスの発生を低減させ得る。
【００３１】
再び図２を参照して、取付金具３は、基端部に係合孔３１を有するとともに、先端部に係止部３２を有する、棒状部材である。基端部に設けられた係合孔３１は、取付金具３の軸方向と略垂直に設けられておた略円筒状の孔である。係合孔３１の断面の大きさは、後述する係止杆４が貫通可能な大きさであってよく、例えば、木質板２の長孔２２の断面の大きさと略等しくされている。また、先端部に設けられた係止部３２は、本実施形態では雄ねじである。ただし、係止部３２は、円筒形とされて雌ねじを形成されてもよい。取付金具３の断面形状は、例えば円形であるが、これに限られず、楕円形又は多角形等であってもよい。取付金具３は、例えば鋼材であるが、これに限られず、エンジニアリングプラスチック等の任意の材料であってもよい。
【００３２】
取付金具３は、木質板２の座繰り孔２３に基端部が差し込まれている。より具体的には、取付金具３は、基端部の係合孔３１が、木質板２の長孔２２内に位置するように、木質板２の座繰り孔２３に差し込まれている。本実施形態では、取付金具３の係止部３２の少なくとも一部は、木質板２の座繰り孔２３に取付金具３の基端部が差し込まれた状態で、座繰り孔２３から木質板２の厚さ方向に突出している。
【００３３】
係止杆４は、棒状部材である。係止杆４の断面形状は、例えば円形であるが、これに限られず、楕円形又は多角形等であってもよい。係止杆４は、例えば鋼材であるが、これに限られず、エンジニアリングプラスチック等の任意の材料であってもよい。係止杆４は、長孔２２に差し込まれており、取付金具３の係合孔３１に差し通されて、取付金具３を係止している。本実施形態では、係止杆４の全体が木質板２の長孔２２内に収容されるように、係止杆４の長さは、木質板２の長孔２２の長さよりも短い。また、係止杆４の断面積は、木質板２の長孔２２と係合孔３１とに貫通可能な任意の大きさとすることができる。
【００３４】
なお、木質パネル１は、建設現場において、木質板２に長孔２２及び座繰り孔２３を設ける加工が行われ、木質板２に取付金具３及び係止杆４が取り付けられることで製造されることができるが、これに限られない。例えば、木質パネル１は、工場等にて予め製造されてもよい。また、木質パネル１の幅方向又は長さ方向の小口面の凹溝２４に雇い実を固定した状態のもの、或いはさらに複数の木質パネル１を雇い実によって接続した状態で一体化した木質パネル複合体１０を予め工場で製造し、建設現場で組み立てることも可能である。
【００３５】
次に、本発明の一実施形態に係る木質パネル複合体１０及び木質パネル取付構造について説明する。
【００３６】
図３及び図４に示すように、本発明の一実施形態に係る木質パネル１は幅方向に接続することができる。図３は、本発明の一実施形態に係る木質パネル１及び木質パネル複合体１０を用いた木質パネル取付構造を示す、正面側一部分解斜視図である。また、図４は、図３の木質パネル取付構造の背面側斜視図である。図３及び図４において、２枚の木質パネル１は、木質パネル複合体１０を形成するように、雇い実５を介して幅方向に接続されている。即ち、木質パネル複合体１０は、複数の木質パネル１が、凹溝２４内に配置された雇い実５を介して互いに接続されてなっている。本実施形態では、木質パネル複合体１０は、１つの雇い実５を介して２つの木質パネル１を互いに接続して形成されている例を示すが、木質パネル複合体１０を形成する木質パネル１の数及び雇い実５は任意に定められてよい。本実施形態では、雇い実５は、木質パネル１の木質板２と同じ材料で構成されているが、これに限られず、他の木材、鋼材、又はエンジニアリングプラスチック等の任意の材料で構成されていてもよい。
【００３７】
本発明の一実施形態に係る木質パネル１及び木質パネル複合体１０は、ロッキング構法によって建物を構成する躯体に取り付けられている。木質パネル１及び木質パネル複合体１０は、帳壁として取り付けられていてもよい。ここで、木質パネル１及び木質パネル複合体１０が取り付けられる建物は、例えば、鉄骨構造物、鉄筋コンクリート構造物及びこれらの混構造物等の建物である。本明細書において、これらの建物を、被取付物ともいう。このような建物は、例えば、地盤に支持された鉄筋コンクリート造の布基礎等である基礎構造体（基礎６）と、柱部材及び梁部材（梁７）等の軸組部材で構成された軸組架構を有し、基礎構造体に支持された上部構造体と、で構成されている。梁７は、例えば鉄骨であるが、鉄筋コンクリート又は木材等であってもよい。本実施形態では、木質パネル１及び木質パネル複合体１０は、建物の上下に並ぶ基礎６と梁７との間に固定されているものとして説明するが、この限りではない。例えば、木質パネル１及び木質パネル複合体１０は、建物の上下に並ぶ２つの梁７の間など、建物の上下に並ぶ基礎６、梁７、又はこれらの組み合わせの間に固定されていてもよい。
【００３８】
上部構造体は、複数の柱部材及び柱部材間に架設された複数の梁部材から構成される軸組架構と、この軸組架構の外周部に配置される外壁と、軸組架構の内部に配置される間仕切壁と、を備える。なお、本発明に係る木質パネル１及び木質パネル複合体１０は、屋内と屋外とを区画する外壁としても、建物の内部において空間を区画する間仕切壁としても採用することができる。
【００３９】
図３及び図４において、木質パネル複合体１０、ひいては、当該木質パネル複合体１０を構成しているそれぞれの木質パネル１は、取付金具３Ａを介して、梁７に取り付けられている。本実施形態では、木質パネル１の取付金具３Ａは、梁７に固定されたアングル材等の壁受金物７Ａの垂直部に固定された取付金物８に取り付けられている。より詳細には、取付金具３Ａは、係止部３２が取付金物８の係合孔に挿入された状態で、ナット８１等によって締め付けられることによって、取付金物８に固定されている。これによって、木質パネル１は、取付金具３Ａを支持点として梁７に対して揺動可能に取り付けられている。図３及び図４に示すように、取付金具３Ａは、木質パネル１において、木質パネル１を梁７に取り付けた際に、木質パネル１の上端が梁７の上端よりも高くなるような位置に設けられている。これによって、木質パネル１の１つの表面が梁７に取り付けられた際に、当該表面と反対の表面側から梁７、壁受金物７Ａ、及び取付金物８等が視認されない。
【００４０】
また、図３及び図４に示すように、それぞれの木質パネル１は、取付金具３Ｂを介して、基礎６に取り付けられている。本実施形態では、木質パネル１の取付金具３Ｂは、基礎６に固定された断面が逆Ｔ字状の壁受金物６Ａの垂直部に固定された取付金物８に取り付けられている。より詳細には、取付金具３Ｂは、係止部３２が取付金物８の係合孔に挿入された状態で、ナット８１等によって締め付けられることによって、取付金物８に固定されている。これによって、木質パネル１は、取付金具３Ａを支持点として基礎６に対して揺動可能に取り付けられている。図３及び図４に示すように、取付金具３Ｂは、木質パネル１において、木質パネル１を基礎６に取り付けた際に、木質パネル１の下端が基礎６の上端に接するような位置に設けられている。これによって、木質パネル１の１つの表面が基礎６に取り付けられた際に、当該表面と反対のの表面側から壁受金物６Ａ及び取付金物８が視認されない。
【００４１】
これによって、木質パネル複合体１０、ひいては、当該木質パネル複合体１０を構成しているそれぞれの木質パネル１は、上下に設けられた取付金具３Ａ及び３Ｂで建物の基礎６及び梁７等の躯体に支持されている。このため、地震時の層間変形等により２つの支持点（取付金具３Ａ及び３Ｂ）が変位した場合には、それぞれの木質パネル１が２つの支持点（取付金具３Ａ及び３Ｂ）を軸として適度に揺動、つまりロッキング動作し得る。
【００４２】
図５及び図６に示すように、本発明の一実施形態に係る木質パネル１は長さ方向に接続して木質パネル複合体１０とすることができる。図５は、本発明の一実施形態に係る木質パネル１及び木質パネル複合体１０を用いた、他の木質パネル取付構造を示す、背面側一部分解斜視図である。図５において、２枚の木質パネル１Ａ及び２Ｂは、木質パネル複合体１０を形成するように、雇い実５を介して長さ方向に接続されている。本実施形態において、木質パネル複合体１０は、木質パネル複合体１０を形成する下側の木質パネル１Ｂが建物の基礎６及び梁７に取り付けられることで、建物に固定されている。下側の木質パネル１Ｂの取付金具３Ａは、梁７に固定された壁受金物７Ａの垂直部に固定された取付金物８に取り付けられている。木質パネル１Ｂの取付金具３Ｂは、基礎６に固定された断面が逆Ｔ字状の壁受金物６Ａの垂直部に固定された取付金物８に取り付けられている。本実施形態では、上側の木質パネル１Ａは、基礎６又は梁７に固定されていないが、この限りではない。上側の木質パネル１Ａは、建物において梁７よりも更に上方に位置する他の梁に取付金具３Ａ及び３Ｂの少なくとも一方によって固定されていてもよい。
【００４３】
図６は、本発明の一実施形態に係る木質パネル１及び木質パネル複合体１０を用いた、更に他の木質パネル取付構造を示す、背面側一部分解斜視図である。図６において、２枚の木質パネル１Ａ及び２Ｂは、木質パネル複合体１０を形成するように、雇い実５を介して長さ方向に接続されている。本実施形態において、木質パネル複合体１０は、木質パネル複合体１０を形成する上側の木質パネル１Ａが建物の梁７に、下側の木質パネル１Ｂが建物の基礎６にそれぞれ取り付けられることで、建物に固定されている点で、図５に示した実施形態と異なっている。上側の木質パネル１Ａの取付金具３Ａは、梁７に固定された壁受金物７Ａの垂直部に固定された取付金物８に取り付けられている。下側の木質パネル１Ｂの取付金具３Ｂは、基礎６に固定された断面が逆Ｔ字状の壁受金物６Ａの垂直部に固定された取付金物８に取り付けられている。
【００４４】
図７及び図８を参照して、本発明の一実施形態に係る木質パネル１及び木質パネル複合体１０を用いた、更に他の木質パネル取付構造について説明する。図７は、図３に示す木質パネル取付構造の変形例を示す、正面図である。図７に示すように、本実施形態に係る木質パネル取付構造は、木質パネル１と基礎６との間に設置部材９が設置されている点で、図３に示される木質パネル取付構造と異なっている。本実施形態に係る木質パネル取付構造では、木質パネル１と基礎６との間に設置部材９が設置されていることによって、木質パネル１がロッキング動作をする際に、木質パネル１が破損するおそれが低減され得る。
【００４５】
図７において、２枚の木質パネル１は、木質パネル複合体１０を形成するように、雇い実５を介して幅方向に接続されている。２枚の木質パネル１は、それぞれ取付金具３を介して建物の基礎６及び梁７に取り付けられている。さらに、２枚の木質パネル１は、それぞれ設置部材９を介して、基礎６の上に設置されている。設置部材９は、例えば、鋼材であるが、これに限られず、木材又はエンジニアリングプラスチック等の任意の材料で構成されてもよい。設置部材９は、木質パネル１よりも幅方向の長さが短い、木質板２の凹溝２４に挿入可能な略直方体の部材とすることができる。設置部材９は、の幅方向において木質パネル１の幅方向において略中央に位置するように、基礎６に固定されている。これによって、本実施形態では、木質パネル１と基礎６との間に空間Ｄが設けられている。また、図７に示すように、木質パネル１の長さ方向において下側の小口面に凹溝２４が設けられている場合、設置部材９はその少なくとも一部を木質パネル１の凹溝２４に収容されていてもよい。
【００４６】
図８は、図７に示す木質パネル取付構造における木質パネルのロッキング動作を示す、正面図である。図８に示すように、地震等により基礎６及び梁７の変位が生じた場合に、木質パネル１が取付金具３を軸として揺動する。本実施形態では、設置部材９によって木質パネル１と基礎６との間に予め空間Ｄが設けられていることによって、木質パネル１の揺動によって木質パネル１の角部分が基礎６とぶつかって破損するおそれが低減され得る。
【００４７】
以上述べたように、本実施形態に係る木質パネル１は、木質板２であって、木質板２の小口面に設けられ、当該小口面に対して垂直方向に延在する長孔２２と、木質板２の表面に設けられ、当該表面と長孔２２とを連通する座繰り孔２３と、を有する、木質板２と、基端部に係合孔３１を有するとともに、先端部に係止部３２を有し、木質板２の座繰り孔２３に基端部が差し込まれている、取付金具３と、木質板２の長孔２２に差し込まれており、取付金具３の係合孔３１に差し通されて取付金具３を係止している、係止杆４と、を備える。かかる構成によれば、取付金具３が係止杆４を介して木質パネル１に取り付けられているため、例えば、ボルト等の取付金具が係止杆４を介さずに木質パネル１に固定される場合に比べて、木質パネル１の木質板２を形成する木質材料の強度のばらつき等に左右されることなく、取付金具３を木質パネル１に安定的な強度で取り付けることができる。したがって、本実施形態に係る木質パネル１によれば、鉄骨構造物、鉄筋コンクリート構造物及びこれらの混構造物等を含む被取付物に、木質パネル１を安定的に取り付けることができる。また、本実施形態では、木質パネル１の座繰り孔２３がある表面とは異なる表面側からは、上述した長孔２２、座繰り孔２３、取付金具３、及び係止杆４が視認されないため、木質パネル１の意匠性が損なわれない。
【００４８】
本実施形態に係る木質パネル１では、木質板２を形成する木質材料が、長孔２２の延在方向において、長孔２２の周囲に連続して存在することが好ましい。かかる構成によれば、地震等による振動によって長孔２２に差し込まれた係止杆４から木質板２に荷重が掛かる場合に、係止杆４から木質板２に掛かる荷重が分散され、木質板２が破損するおそれを低減させ得る。
【００４９】
本実施形態に係る木質パネル１では、木質板２は、複数の長尺の木材２１を互いに集成接着させた集成材であって、長孔２２は、複数の木材２１を貫いて延在していることが好ましい。かかる構成によれば、長孔２２に差し込まれる係止杆４から木質板２に荷重が掛かる場合に、木質板２を構成する木材２１の接着面に対して荷重が略平行に加わるため、木材２１の接着面で剥離又は滑動が生じるおそれを低減させ得る。
【００５０】
本実施形態に係る木質パネル１では、木質板２の４つの小口面の少なくとも１つに凹溝２４を有することが好ましい。かかる構成によれば、雇い実５を介して複数の木質パネル１を幅方向又は長さ方向に接続することができる。
【００５１】
本実施形態に係る木質パネル１では、木質板２の４つの小口面の各々に凹溝２４を有することが好ましい。かかる構成によれば、木質パネル１を接続する際に、木質パネル１の方向性を考慮しなくてよいため、接続作業を容易にすることができる。
【００５２】
上記の各実施形態に係る木質パネル複合体１０は、上述した複数の木質パネル１が、凹溝２４内に配置された雇い実５を介して互いに接続されてなっている。かかる構成によれば、木質パネル複合体１０の止水機能を高めることができる。このため、木質パネル複合体１０は、建物の外壁としての使用することができる。また、木質パネル複合体１０に求められる面積又は形状等に応じて、所定のサイズに予め造られた木質パネル１を組み合わせて木質パネル複合体１０を構成することによって、木質パネル複合体１０の製造及びメンテナンスに掛かる費用を低減させ得る。
【００５３】
上記の各実施形態に係る木質パネル１の取付構造は、上述した木質パネル１及び／又は木質パネル複合体１０が、取付金具３を介して梁７又は基礎６の少なくとも１つに取り付けられているかかる構成によれば、取付金具３が係止杆４を介して木質パネル１に取り付けられているため、例えば、ボルト等の取付金具が係止杆４を介さずに木質パネル１に固定される場合に比べて、木質パネル１の木質板２を形成する木質材料の強度のばらつき等に左右されることなく、取付金具３を木質パネル１に安定的な強度で取り付けることができる。したがって、本実施形態に係る取付構造によれば、鉄骨構造物、鉄筋コンクリート構造物及びこれらの混構造物等を含む被取付物に、木質パネル１を安定的に取り付けることができる。また、本実施形態では、木質パネル１の座繰り孔２３がある表面とは異なる表面側からは、上述した長孔２２、座繰り孔２３、取付金具３、及び係止杆４が視認されないため、木質パネル１の意匠性が損なわれない。
【００５４】
上記の各実施形態に係る木質パネル１の取付構造では、木質パネル１及び／又は木質パネル複合体１０は、梁７又は基礎６の少なくとも１つの上に設置部材９を介して設置されていることが好ましい。かかる構成によれば、木質パネル１と、基礎６等との間に空間Ｄを設けることができる。これによって、ロッキング動作時において、木質パネル１の揺動によって木質パネル１の角部分が基礎６等とぶつかって破損するおそれが低減され得る。
【００５５】
本発明は、上述した実施形態の構成に限定されるものではなく、特許請求の範囲で記載された内容を逸脱しない範囲で、様々な構成により実現することが可能である。
【００５６】
例えば、上記の各実施形態では、木質パネル１の長さ方向において上下の２箇所に取付金具３及び係止杆４が設けられている例を示したが、この限りではない。例えば、取付金具３、係止杆４又はそれらの組み合わせが、木質パネル１の長さ方向において１箇所のみ、または３箇所以上に設けられていてもよい。また、木質パネル複合体１０において、取付金具３及び係止杆４は、木質パネル複合体１０を構成する全ての木質パネル１に設けられていてもよく、或いは、一部の木質パネル１に設けられていてもよい。
【００５７】
また例えば、上記の各実施形態では、２枚の木質パネル１を幅方向又は長さ方向に接続して木質パネル複合体１０とした例を示したが、この限りではない。例えば、３枚以上の木質パネル１を幅方向及び／又は長さ方向に接続して木質パネル複合体１０としてもよい。
【符号の説明】
【００５８】
１  木質パネル
１０  木質パネル複合体
２  木質板
２１  木材
２２、２２Ａ、２２Ｂ  長孔
２３  座繰り孔
２４  凹溝
３、３Ａ、３Ｂ  取付金具
３１  係合孔
３２  係止部
４  係止杆
５  雇い実
６  基礎
６Ａ  壁受金物
７  梁
７Ａ  壁受金物
８  取付金物
８１  ナット
９  設置部材
Ｄ  空間
【図１】
2020163770.tif 000003
【図２】
2020163770.tif 000004
【図３】
2020163770.tif 000005
【図４】
2020163770.tif 000006
【図５】
2020163770.tif 000007
【図６】
2020163770.tif 000008
【図７】
2020163770.tif 000009
【図８】
2020163770.tif 000010